(57)【要約】【課題】内容物が漏れ出しにくい平パウチを提供する。【解決手段】平パウチ１は内容物を収容可能な収容空間２が形成されるようにシールされた部分であるシール部５０を含む第１のシート１０および第２のシート２０、第１のシート１０に形成された強度が低い部分であり、収容空間２の圧力が上昇することにより破断可能な通蒸予定部３０、ならびに、第１のシート１０に取り付けられ、第１のシート１０の膨張にともない塑性変形する形状保持部材４０を備える。【選択図】図１
2017001679.tif 000002
【特許請求の範囲】
【請求項１】
内容物を収容可能な収容空間が形成されるようにシールされた部分であるシール部を含むシートと、
前記シートに形成された強度が低い部分であり、前記収容空間の圧力が上昇することにより破断可能な通蒸予定部と、
前記シートに取り付けられ、前記シートの膨張にともない塑性変形する形状保持部材とを備える
平パウチ。
【請求項２】
前記シートは内面同士が対向する第１の部分および第２の部分を含み、
前記通蒸予定部は前記第１の部分および前記第２の部分の一方に形成され、
前記形状保持部材は前記第１の部分および前記第２の部分の一方に取り付けられる
請求項１に記載の平パウチ。
【請求項３】
前記形状保持部材はテープ状の部材である
請求項１または２に記載の平パウチ。
【請求項４】
前記シール部は対向する第１の辺および第２の辺を含み、
前記形状保持部材は前記第１の辺および前記第２の辺の一方から他方までにわたり伸びる
請求項３に記載の平パウチ。
【請求項５】
前記形状保持部材は樹脂ファスナーの雄型または雌型である
請求項３または４に記載の平パウチ。
【請求項６】
前記通蒸予定部は前記シートを貫通しない細長い線状の切り込みが形成されている
請求項１〜５のいずれか一項に記載の平パウチ。
【請求項７】
前記シートは前記シール部を切り取るためのきっかけであるノッチをさらに含み、
前記形状保持部材は前記ノッチから形成される切り取り線の形成を阻害しないように前記通蒸予定部よりも前記ノッチから離れた位置に配置される
請求項１〜６のいずれか一項に記載の平パウチ。
【請求項８】
前記収容空間に内容物が収容されている
請求項１〜７のいずれか一項に記載の平パウチ。
【発明の詳細な説明】
【技術分野】
【０００１】
本発明は、シートにより形成されている平パウチに関する。
【背景技術】
【０００２】
特許文献１は平パウチの一例を開示している。この平パウチは内容物を収容可能な収容空間が形成されるようにシールされた部分であるシール部を含むシート、および、シートに形成された強度が低い部分であり、収容空間の圧力が上昇することにより破断可能な通蒸予定部を備える。この平パウチは収容空間に内容物が収容された後、密封され、電子レンジ等の加熱手段により加熱される。平パウチが加熱されることにより、内容物が水蒸気を発生し、収容空間の圧力が上昇してシートが膨張する。このため、シートのうちの通蒸予定部が破断し、収容空間と外部とが連通し、収容空間の水蒸気が外部に排出される。
【先行技術文献】
【特許文献】
【０００３】
【特許文献１】特許第３９４２７０９号公報
【発明の概要】
【発明が解決しようとする課題】
【０００４】
上記平パウチによれば、破断した通蒸予定部を介して水蒸気が外部に排出されることによりシートが萎み、シートが内容物と接触することがある。このため、破断した通蒸予定部を介して内容物が外部に漏れ出すおそれがある。
【０００５】
本発明の目的は、内容物が漏れ出しにくい平パウチを提供することである。
【課題を解決するための手段】
【０００６】
〔１〕本発明に従う平パウチの一形態は、内容物を収容可能な収容空間が形成されるようにシールされた部分であるシール部を含むシートと、前記シートに形成された強度が低い部分であり、前記収容空間の圧力が上昇することにより破断可能な通蒸予定部と、前記シートに取り付けられ、前記シートの膨張にともない塑性変形する形状保持部材とを備える。
【０００７】
上記平パウチによれば、収容空間に内容物が収容された状態で閉じられ、電子レンジ等の加熱手段により加熱されることにより内容物が水蒸気を発生し、収容空間の圧力が上昇する。このため、シートが膨張し、シートに取り付けられている形状保持部材が塑性変形する。一方、シートが膨張することにともない、シートに形成されている通蒸予定部が破断して収容空間と外部とが連通し、収容空間から水蒸気が外部に排出される。収容空間から水蒸気が外部に排出されることにより、収容空間の圧力の上昇が抑制されるため、形状保持部材にシートが膨張しようとする力が作用しなくなり、形状保持部材の形状が保持される。このため、膨張していたシートが萎むことが形状保持部材により妨げられる。これにより、シートのうちの破断している通蒸予定部と内容物とが接触することが抑制され、内容物が漏れ出しにくい。
【０００８】
〔２〕前記平パウチの一例によれば、前記シートは内面同士が対向する第１の部分および第２の部分を含み、前記通蒸予定部は前記第１の部分および前記第２の部分の一方に形成され、前記形状保持部材は前記第１の部分および前記第２の部分の一方に取り付けられる。
【０００９】
上記平パウチによれば、通蒸予定部が形成されている第１の部分または第２の部分に形状保持部材が取り付けられているため、通蒸予定部が形成されている第１の部分または第２の部分が萎むことが形状保持部材により妨げられる。このため、破断した通蒸予定部と内容物とが接触することがより抑制され、内容物が漏れ出しにくい。
【００１０】
〔３〕前記平パウチの一例によれば、前記形状保持部材はテープ状の部材である。
上記平パウチによれば、形状保持部材がテープ状の部材であるため、内容物が収容されていない状態の平パウチの厚みが厚くなりにくい。このため、内容物が収容されていない状態の複数の平パウチを重ねて収容する際の平パウチの収容スペースの省スペース化が図られる。
【００１１】
〔４〕前記平パウチの一例によれば、前記シール部は対向する第１の辺および第２の辺を含み、前記形状保持部材は前記第１の辺および前記第２の辺の一方から他方までにわたり伸びる。
【００１２】
上記平パウチによれば、形状保持部材が第１の辺および第２の辺の一方から他方までにわたり伸びているため、シートのうちのより広い範囲が萎むことを抑制できる。このため、内容物がより漏れ出しにくい。
【００１３】
〔５〕前記平パウチの一例によれば、前記形状保持部材は樹脂ファスナーの雄型または雌型である。
上記平パウチによれば、形状保持部材として、一般的なパウチに用いられる樹脂ファスナーの雄型または雌型が用いられているため、より簡単に平パウチを製造することができる。
【００１４】
〔６〕前記平パウチの一例によれば、前記通蒸予定部は前記シートを貫通しない細長い線状の切り込みが形成されている。
上記平パウチによれば、通蒸予定部が破断した後、収容空間から細い線状の切り込みを介して水蒸気が外部に排出される。このため、水蒸気が徐々に外部に排出されやすく、通蒸予定部が破断した後、シートが急速に萎むことが抑制される。
【００１５】
〔７〕前記平パウチの一例によれば、前記シートは前記シール部を切り取るためのきっかけであるノッチをさらに含み、前記形状保持部材は前記ノッチから形成される切り取り線の形成を阻害しないように前記通蒸予定部よりも前記ノッチから離れた位置に配置される。
【００１６】
上記平パウチによれば、形状保持部材が上記の位置に配置されているため、エンドユーザーがシール部を切り取るときに、シートと形状保持部材とが干渉しにくい。このため、エンドユーザーが容易にシール部を切り取ることができる。
【００１７】
〔８〕前記平パウチの一例によれば、前記収容空間に内容物が収容されている。
上記平パウチによれば、膨張したシートが萎むことが形状保持部材により妨げられるため、シートのうちの破断している通蒸予定部と内容物とが接触することが抑制される。このため、内容物が漏れ出しにくい。
【発明の効果】
【００１８】
上記平パウチによれば、内容物が漏れ出しにくい。
【図面の簡単な説明】
【００１９】
【図１】実施形態の平パウチの正面図。
【図２】図１のＤ２−Ｄ２線に沿う断面図。
【図３】図１の形状保持部材の斜視図。
【図４】図１の平パウチの収容空間に内容物が収容されている状態の平パウチの正面図。
【図５】収容空間の圧力が上昇している状態の図４のＤ５−Ｄ５線に沿う断面図。
【図６】図５の通蒸予定部が破断した状態を示す断面図。
【図７】図６の平パウチの加熱が終了した状態を示す断面図。
【図８】他の実施形態の平パウチの正面図。
【発明を実施するための形態】
【００２０】
（実施形態）
図１に示されるように、内容物が収容される前の閉じられていない平パウチ１は内面同士が対向する第１のシート１０および第２のシート２０、第１のシート１０に形成された強度が低い部分である通蒸予定部３０、ならびに、第１のシート１０に取り付けられ、第１のシート１０の膨張にともない塑性変形する形状保持部材４０を備える。なお、第１のシート１０は「第１の部分」に相当する。また、第２のシート２０は「第２の部分」に相当する。
【００２１】
図２に示されるように、第１のシート１０はシーラント層１１、および、シーラント層１１よりも外側に積層され、シーラント層１１と接着されている基材層１２を備える。シーラント層１１を構成する材料の一例はポリエチレンフィルムである。基材層１２を構成する材料の一例は二軸延伸ポリエチレンテレフタレートフィルムである。
【００２２】
第２のシート２０はシーラント層２１、および、シーラント層２１よりも外側に積層され、シーラント層２１と接着されている基材層２２を備える。シーラント層２１を構成する材料の一例はポリエチレンフィルムである。基材層２２を構成する材料の一例は二軸延伸ポリエチレンテレフタレートフィルムである。
【００２３】
図１に示されるように、２枚のシート１０，２０は内容物を収容可能な収容空間２が形成されるようにシールされた部分であるシール部５０、および、収容空間２に内容物を入れるための開口部４を含む。
【００２４】
シール部５０は第１のシート１０のシーラント層１１の縁と第２のシート２０のシーラント層２１の縁とが互いにシールされた部分である。シール部５０は第１の辺５１、第２の辺５２、および、第３の辺５３を含む。
【００２５】
第１の辺５１は平パウチ１の長手方向に伸びている。第１の辺５１は平パウチ１の長手方向において通蒸予定部３０よりも形状保持部材４０に近い位置にノッチ３Ａが形成されている。
【００２６】
第２の辺５２は平パウチ１の長手方向に伸びている。第２の辺５２は平パウチ１の短手方向において第１の辺５１と対向している。第２の辺５２は平パウチ１の長手方向において通蒸予定部３０よりも形状保持部材４０に近い位置にノッチ３Ｂが形成されている。ノッチ３Ｂは平パウチ１の短手方向においてノッチ３Ａと対向している。エンドユーザーがノッチ３Ａまたはノッチ３Ｂをきっかけとして平パウチ１を切り取る際に、図１の二点鎖線で示される切り取り線５が形成される。
【００２７】
第３の辺５３は第１の辺５１と第２の辺５２との間に形成され、平パウチ１の短手方向に伸びている。
開口部４は第１のシート１０のシーラント層１１の縁と第２のシート２０のシーラント層２１の縁とが互いにシールされていない部分である。
【００２８】
図２に示されるように、通蒸予定部３０は第１のシート１０の基材層１２の一部に平パウチ１の短手方向に伸びる細長い切り込み３１が形成されている。すなわち、第１のシート１０のシーラント層１１のうちの切り込み３１が形成されている部分に対応する部分である切込対応部３２には、基材層１２が積層されていない。このため、切込対応部３２は収容空間２の圧力が上昇することにともない破断可能な部分である。通蒸予定部３０は平パウチ１の長手方向において、開口部４と一対のノッチ３Ａ，３Ｂとの間に形成されている。
【００２９】
形状保持部材４０は第１のシート１０のシーラント層１１に取り付けられ、第１の辺５１から第２の辺５２までにわたり伸びている。形状保持部材４０は一対のノッチ３Ａ，３Ｂから形成される切り取り線５の形成を阻害しないように通蒸予定部３０よりも一対のノッチ３Ａ，３Ｂから離れた位置に配置されている。一例によれば、形状保持部材４０は平パウチ１の長手方向の中央部分に配置されている。
【００３０】
図３に示されるように、形状保持部材４０はテープ状の部材である樹脂ファスナーの雌型が用いられている。形状保持部材４０を構成する材料の好ましい一例は熱可塑性樹脂である。熱可塑性樹脂の一例は直鎖状低密度ポリエチレンである。形状保持部材４０は長手方向に伸び、第１のシート１０のシーラント層１１（図２参照）とシールされるシート取付部４１、および、シート取付部４１と一体的に形成されている噛合部４２を含む。
【００３１】
図２に示されるように、形状保持部材４０の長手方向の両端部は第１のシート１０のシーラント層１１の縁と第２のシート２０のシーラント層２１の縁とともにシールされることにより潰されている。
【００３２】
平パウチ１の作用について説明する。
図４に示されるように、平パウチ１は収容空間２に内容物１００が収容された状態で開口部４がシールされることにより内容物１００が密封される。内容物１００は固形具材１１０およびソース１２０を含む。
【００３３】
図５に示されるように、平パウチ１は第１のシート１０が第２のシート２０よりも上側になるように電子レンジ等の加熱手段（図示略）に配置される。平パウチ１が加熱手段により加熱されることにより、内容物１００から水蒸気が発生し、収容空間２の圧力が次第に上昇する。このため、第１のシート１０が第２のシート２０から離間する方向に膨張し、第１のシート１０に取り付けられている形状保持部材４０が塑性変形する。なお、図５および図６の矢印は内容物１００から発生した水蒸気のイメージを示している。
【００３４】
図６に示されるように、第１のシート１０が膨張することにより、第１のシート１０に形成されているシーラント層１１の切込対応部３２が破断する。このため、破断した切込対応部３２および切り込み３１を介して収容空間２と外部とが連通し、収容空間２から水蒸気が外部に排出される。
【００３５】
図７に示されるように、収容空間２から水蒸気が外部に排出されることにより、収容空間２の圧力の上昇が抑制されるため、形状保持部材４０に第１のシート１０が膨張しようとする力が作用しなくなり、形状保持部材４０の形状が保持される。このため、膨張していた第１のシート１０が萎むことが形状保持部材４０により妨げられる。
【００３６】
平パウチ１の加熱が終了した後、エンドユーザーは一例として、シール部５０を掴んで平パウチ１を加熱手段の外部に取り出す。そして、ノッチ３Ａまたはノッチ３Ｂ（図４参照）をきっかけとして平パウチ１を切り取り線５（図４参照）に沿って切り取った後、収容空間２から内容物１００を取り出す。
【００３７】
平パウチ１によれば、以下の効果が得られる。
（１）加熱されることにより膨張した第１のシート１０が萎むことが形状保持部材４０により妨げられる。このため、第１のシート１０のうちの破断している切込対応部３２と内容物１００とが接触することが抑制され、内容物１００が漏れ出しにくい。
【００３８】
（２）通蒸予定部３０が形成されている第１のシート１０に形状保持部材４０が取り付けられているため、通蒸予定部３０が形成されている第１のシート１０が萎むことが抑制される。このため、破断した切込対応部３２と内容物１００とが接触することが抑制され、内容物１００が漏れ出しにくい。
【００３９】
（３）形状保持部材４０がテープ状の部材であるため、内容物１００が収容されていない状態の平パウチ１の厚みが厚くなりにくい。このため、内容物１００が収容されていない状態の複数の平パウチ１を重ねて収容する際の平パウチ１の収容スペースの省スペース化が図られる。
【００４０】
（４）形状保持部材４０が第１の辺５１から第２の辺５２までにわたり伸びているため、第１のシート１０のうちのより広い範囲が萎むことを抑制できる。このため、内容物１００がより漏れ出しにくい。
【００４１】
（５）形状保持部材４０として一般的なパウチに用いられる樹脂ファスナーの雌型が用いられているため、より簡単に平パウチ１を製造することができる。
（６）通蒸予定部３０の切込対応部３２が破断した後、収容空間２から細い線状の切り込み３１を介して水蒸気が外部に排出される。このため、水蒸気が徐々に外部に排出されやすく、切込対応部３２が破断した後、第１のシート１０が急速に萎むことがより抑制される。
【００４２】
（７）形状保持部材４０は一対のノッチ３Ａ，３Ｂから形成される切り取り線５の形成を阻害しないように通蒸予定部３０よりも一対のノッチ３Ａ，３Ｂから離れた位置に配置されているため、エンドユーザーがシールされた開口部４を切り取るときに、各シート１０，２０と形状保持部材４０とが干渉しにくい。このため、エンドユーザーが容易にシールされた開口部４を切り取ることができる。
【００４３】
（８）通蒸予定部３０は平パウチ１の長手方向において、開口部４と一対のノッチ３Ａ，３Ｂとの間に形成されている。このため、エンドユーザーがノッチ３Ａまたはノッチ３Ｂをきっかけとして平パウチ１を切り取ることにより、通蒸予定部３０も切り取られる。このため、エンドユーザーが収容空間２から内容物１００を取り出すときに破断している通蒸予定部３０の切込対応部３２から内容物１００が漏れ出さない。
【００４４】
（変形例）
上記実施形態に関する説明は、本発明に従う平パウチが取り得る形態の例示であり、その形態を制限することを意図していない。本発明に従う平パウチは、例えば以下に示される実施形態の変形例、および、相互に矛盾しない少なくとも２つの変形例が組み合わせられた形態を取り得る。
【００４５】
・変形例の平パウチ１によれば、図８に示されるように、形状保持部材４０が平パウチ１の長手方向に伸びる形状である。
・変形例の平パウチ１によれば、形状保持部材４０として、樹脂ファスナーの雄型が用いられる。
【００４６】
・変形例の平パウチ１によれば、形状保持部材４０として、樹脂ファスナー以外のテープ状の部材が用いられる。
・変形例の平パウチ１によれば、形状保持部材４０として、円柱形状または角柱形状の部材が用いられる。
【００４７】
・変形例の平パウチ１によれば、形状保持部材４０の長手方向の寸法が、平パウチ１の短手方向の寸法よりも短い。
・変形例の平パウチ１によれば、形状保持部材４０が、第１のシート１０のシーラント層１１のうちの第１の辺５１よりも内方の部分と第２の辺５２よりも内方の部分との間に取り付けられる。
【００４８】
・変形例の平パウチ１によれば、２つ以上の形状保持部材４０が第１のシート１０のシーラント層１１に取り付けられる。
・変形例の平パウチ１によれば、１つ、または、２つ以上の形状保持部材４０が第１のシート１０の基材層１２の表面に取り付けられる。
【００４９】
・変形例の平パウチ１によれば、形状保持部材４０が、第２のシート２０のシーラント層２１、および、第２のシート２０の基材層２２の表面の少なくとも一方に取り付けられる。
【００５０】
・変形例の平パウチ１によれば、通蒸予定部３０が第２のシート２０に形成される。
・変形例の平パウチ１によれば、切り込み３１の形状が円形状、または、多角形状である。この変形例の切り込み３１は、第１のシート１０を貫通しない。
【００５１】
・変形例の平パウチ１によれば、切り込み３１が平パウチ１の長手方向に伸びる細長い線状である。
・変形例の平パウチ１によれば、一対のノッチ３Ａ，３Ｂが平パウチ１の長手方向において通蒸予定部３０よりも開口部４に近い位置に形成される。
【００５２】
・変形例の第１のシート１０および第２のシート２０の少なくとも一方は、１層または３層以上の層構成を含む。第１のシート１０および第２のシート２０の層構成が１層の場合、通蒸予定部３０は層の中間部分まで切り込み３１が形成される。
【００５３】
・変形例の平パウチ１は１枚のシートが折り返され、縁がシールまたは接着される。この変形例の平パウチ１は１枚のシートにより内面同士が対向する第１の部分および第２の部分が形成される。
【００５４】
・変形例の平パウチ１によれば、内容物１００として食品以外の物体が収容される。食品以外の物体の一例は、哺乳瓶および水である。
【符号の説明】
【００５５】
１    ：平パウチ
２    ：収容空間
３Ａ  ：ノッチ
３Ｂ  ：ノッチ
５    ：切り取り線
１０  ：第１のシート（第１の部分）
２０  ：第２のシート（第２の部分）
３０  ：通蒸予定部
３１  ：切り込み
４０  ：形状保持部材
５０  ：シール部
５１  ：第１の辺
５２  ：第２の辺
１００：内容物
【図１】
2017001679.tif 000003
【図２】
2017001679.tif 000004
【図３】
2017001679.tif 000005
【図４】
2017001679.tif 000006
【図５】
2017001679.tif 000007
【図６】
2017001679.tif 000008
【図７】
2017001679.tif 000009
【図８】
2017001679.tif 000010